(57)【特許請求の範囲】
【請求項１】
モータにより回転する円板状砥石の収容室を器体前壁に張出して設け、その収容室の下方を開口し、またその収容室の前壁の一部を開口して研削窓を形設し、その研削窓の前方に被研削物品を載置するための作業台を突設し、その作業台と収容室前壁との間には粉塵吸込用隙間を設け、その粉塵吸込用隙間並びに収容室下方開口部の下部に集塵用空間を形設し、また、器体前壁の下部を通り、その集塵用空間と器体内に設置したブロワ吸引による集塵装置とを連通する吸込通路を設け、研削作業時に、その発生粉塵が器体内の集塵装置に吸引、集塵されるごとく形成されてなることを特徴とする歯科用石膏乾式研削器。
【請求項２】
被研削物品を戴置するための作業台が、引き出し型のもので、その上面には前傾可能な作業テーブルを備えてなるものであることを特徴とする請求項１に記載の歯科用石膏乾式研削器。
【発明の詳細な説明】
【０００１】
【発明の属する技術分野】
本発明は歯科治療用石膏模型等を乾式で研削して整型する歯科用石膏乾式研削器の技術分野に属し、特にブロワ吸引による集塵装置を内装し、その吸込通路が粉塵吸込用隙間の下部の集塵用空間に通じ、発生粉塵が砥石回転による風の流れに助長されて集塵装置に吸引、集塵可能に形成されたことを特徴とする歯科用石膏乾式研削器の技術分野に属する。
【０００２】
【従来の技術及び発明が解決しようとする課題】
従来の研削器は粉塵対策のために水を使用して研削を行っているが、そのために石膏を乾燥させる必要が生じている。しかし石膏模型は濡らすことにより加水膨張を起こし、そのため寸法精度が不安定となり、近年の精密技工には解決すべき課題となっている。一方、前記の加水膨張の課題を解決するものとして、乾式研削器が存在するが、従来の乾式研削器は以下の問題点を抱えているために普及されない状況にある。
すなわち、▲１▼ベルト式のため本体が大きい。▲２▼回転砥石装置に対し独立構造の粉塵吸引装置を取り付けるため、その専用スペースが余分に必要となっている。▲３▼価格が高い。▲４▼垂直面使用のため、ベルトが弛んで外れやすく、作業能率が上がらない。
【０００３】
【課題を解決するための手段】
本発明は前記課題の解決を目的とするものであって、器体に一体にブロワ吸引による集塵装置を内設して装置の小型化と作業性アップをはかり、特にその集塵性能を増大するために、作業台の粉塵吸込用隙間並びに回転砥石の下方開口部の下部に粗大な塵材を集塵する集塵用空間を形設し、その集塵用空間に連通し、集塵装置に直通する吸込通路を形成し、砥石の回転により生ずる風の流れを利用して、その吸引力を助長し、また吸引途中の通路抵抗を最小に減少させるごとく形成してなる、従来にない歯科用石膏乾式研削器を提供しようとするものである。
また、その作業台を引き出し型にして、その平箱部分に吸込通路と連通する集塵空間を形設して、研削作業時に発生する破片等の塵材を取り出し易く配慮している。すなわち、本発明の課題解決手段は以下の通りである。
（１）モータにより回転する円板状砥石の収容室を器体前壁に張出して設け、その収容室の下方を開口し、またその収容室の前壁の一部を開口して研削窓を形設し、その研削窓の前方に被研削物品を載置するための作業台を突設し、その作業台と収容室前壁との間には粉塵吸込用隙間を設け、その粉塵吸込用隙間並びに収容室下方開口部の下部に集塵用空間を形設し、また、器体前壁の下部を通り、その集塵用空間と器体内に設置したブロワ吸引による集塵装置とを連通する吸込通路を設け、研削作業時に、その発生粉塵が器体内の集塵装置に吸引、集塵されるごとく形成されてなることを特徴とする歯科用石膏乾式研削器。
（２）被研削物品を戴置するための作業台が、引き出し型のもので、その上面には前傾可能な作業テーブルを備えてなるものであることを特徴とする前記（１）項に記載の歯科用石膏乾式研削器。
【０００４】
【発明の実施の形態】
本発明の一実施例の形態を、図面に基づき以下に詳説する。
図１は本発明の歯科用石膏乾式研削器の全体斜視図であり、図２は本研削器の正面図であり（ただし、その一部を図３のＢ〜Ｂ線に沿った断面図で図示する。）、図３は本研削器の左側面図であり（ただし、その一部を図２のＡ〜Ａ線に沿った断面図で図示する。）図４は作業台の集塵用空間にフィルター部材を挿着したときの本研削器の左側面図である。
図中、１は本発明の歯科用石膏乾式研削器、２は器体、２ａは器体前壁、３は円板状砥石、３ａは砥石用モータ、４は砥石収容室、４ａは研削窓、４ｂは下方開口部、５は作業台、５ａは可傾式作業テーブル、６は集塵用空間、７はフィルター部材、８はブロワ吸引による集塵装置、９はブロワ、１０は粉塵吸込用隙間、１１は集塵室、１２は吸込孔、１３は集塵袋、１４は吸込通路、１５はフィルター部材、１６は開閉蓋、１７はクランパー、Ｃはブロワ中心、Ｄは砥石モータ中心である。
【０００５】
本発明の歯科用石膏乾式研削器１は、その器体２内にブロワ吸引による集塵装置８を内装してコンパクト化をはかり、回転砥石３の収容室４の下方に開口部４ｂを設け、また作業台５と収容室４の前壁との間に粉塵吸込用隙間１０を設け、その下方開口部４ｂ並びに粉塵吸込用隙間１０の下部に集塵用空間６を形設し、その集塵用空間６を集塵装置８に通ずる吸込通路１４と連通し、砥石３の回転により生ずる風の流れを利用してブロワ９の吸引力を助長するごとくし、また、その吸込通路１４を集塵装置８の吸込孔１２に直通し、吸引途中の通路抵抗を最小に減少させるごとく形成して、本研削器１の集塵、吸引作用を強大なものとしたことを最大特徴としている。
そのため、器体２のカバー、開閉蓋１６等はもちろん、砥石収容室４の接続部分や作業台５の摺動部分並びに固着部分はシール材を介して気密に組付け（図示せず）られている。
【０００６】
先ず、本研削器１の全体外形については、図１のごとく長方形状を基本にしているが、その器体２並びに収容室４の右側部分は円板状砥石３及びそのモータ３ａの外形に倣って半円形に張出した形状となっている。
また器体２の前面に取付けられた砥石収容室４は、その前壁４ｄの一部を開口して、砥石３の研削窓４ａを形設し、さらにその研削窓４ａの前方には、被研削部品を載置するため、Ｌ状状で、引出し型に形成された作業台５が器体２に挿着された状態で突設されており、作業台５は器体２並びに砥石収容室４に較べて、左右幅が狭く、底面が器体２より高くなっている。次に、本研削器１を側面から見ると（図３）、収容室４の下方開口部４ｂを有する下端は器体２に挿着されて突設された作業台５の平箱部分の上部に当接する高さに係合されて取付けられており、作業台５はその垂直面を収容室前壁４ｄに当接させ、その平箱部分を器体奥壁２ｃのところまで挿入させ、器体２の外側から固定ボルト５ｅで固着されている。なお、作業台５の部品を載置する作業テーブル５ａは、後部のヒンジ５ｃを介して前傾可能となっている。５ｄはその前傾用長溝に対する調整締付具である。
また、本研削器１は、図２のごとく、その器体２の右部分に円板状砥石３を直接駆動する砥石用モータ３ａが収容され、その器体２の左部分にブロワ９の吸引による集塵装置８の関係構造部分が配設されている。Ｃがブロワ中心、Ｄが砥石モータ中心を示す。
【０００７】
本研削器１に内装されたブロワ吸引による集塵装置８の構造は、図３に簡略に図示したごとく、市販の掃除機に使用されている構造と同一であり、吸引した粉塵を集塵袋１３に収納し、器外に廃棄可能となっている。すなわち、器体２内の中壁２ｂの後方にブロワ９を設置したブロワ収容室９ａが設けられ、その中壁２ｂの前方の、器体前壁２ａとの間に内設された集塵室１１との間には、ブロワ９と係合する吸気孔９ｂが通口されている。また、該収容室９ａの後壁には、器外に通ずる排気孔９ｃが開口されている。なお、吸気孔９ｂには微細なメッシュのフィルター板１５が取着されていて、ブロワ９の回転により排気孔９ｃから排出される空気を浄化している。
また、集塵室１１の前壁２ａ側には、該前壁２ａの途中から集塵室１１内へその境壁を突出し、下方の器体奥壁２ｃと縦に連結させて、下方の集塵用空間６に通ずる吸込通路１４が形成されていて、集塵室１１との間には、ブロワ中心Ｃの位置に吸込孔１２が開口されている。また、気密構造の集塵室１１内では、前記の吸込孔１２に集塵袋１３が簡易に取付けられ、吸込通路１４を介して吸引される粉塵を集塵可能となっているが、そのため集塵室１１の上部には着脱用穴が形設され、器体２の上方からクランパー１７を介して開閉自在な開閉蓋１６（図１）が気密に被着されている。その開閉蓋１６を開くと、集塵室１１の内部が開放されて、吸込孔１２に装着された集塵袋１３を簡易に着脱できるごとくなっている。
【０００８】
次に、作業台５と収容室前壁４ｄとの間に設けられた粉塵吸込用隙間１０から、その下方の集塵用空間６を経て、器体前壁２ａの下部を通り、吸込孔１２に直通する吸込通路１４に至るまで介設された、研削作業時の発生粉塵の吸引通路について詳説する。  前記の粉塵吸込隙間１０は、作業台５の側の左右の側板のところを収容室前壁４ｄに当接し、その左右の側板を連結する壁板を凹ませることにより細長い長孔状に形成されている。また該隙間１０は作業台５の下方の底板に向かって隙間幅を拡げるように形設して吸引し易くなっている。
また、引き出し型作業台５の該隙間１０の壁板から前方の、器体２内に挿着された平箱部分までの箱部は空洞に形成されて、粉塵に混ざって落下する粗大な塵材を収納する集塵用空間６を形設しているが、その平箱部分は器体前壁２ａを通り、器体奥壁２ｃまで挿入されているので、その集塵用空間６は砥石収容室４の下方開口部４ｂはもちろん、集塵室１１に通じる吸込通路１４と通口することとなり、該隙間１０から該隙間１０並びに収容室下方開口部４ｂの下方の集塵用空間６を経て器体前壁２ａの下部を通り、吸込通路１４に至る発生粉塵の吸引通路が形成される。なお、吸引途中で該集塵用空間６に沈積した破片等の塵材は作業台５を引き出して排出する。
また、前壁２ａの下部にＲ状ガイド６ａを付設することは吸引抵抗を減少し、吸引力をアップするので望ましい。
【０００９】
また、前記の作業台５の平箱部分に形成した集塵用空間６には、図４のごとく、複数枚（５枚を例示）のフィルター部材７を挿着して、その吸引通路に粗目のメッシュのフィルター部材７を介入させ、破片等の塵材を積極的に排除するように形成してもよい。その場合、器体前壁２ａの下部に該フィルター部材７の上面に当接可能な遮断部材７ａを付設することが望ましく、該遮断部材７ａが吸引通路を分断し、挿着したフィルター部材７を通過しなければ吸引不能となり、該フィルター部材７による粗大な塵材の濾過効率を向上する。
【００１０】
かくして、本研削器１においては、作業台５の邪魔物のない作業テーブル５ａ上に被研削部品を載置し、研削窓４ａの内側で反時計方向に回転する円板状砥石３の砥石面に押し当てて研削するのであるが、その発生粉塵はすべて器体２内に設置したブロワ吸引による集塵装置８による吸引作用で、作業台５と収容室前壁２ａとの間の粉塵吸込用隙間１０から器内に吸い込まれ、該隙間１０並びに収容室下方開口部４ｂの下方の作業台５の平箱部分に形設された集塵用空間６を経て、器体前壁２ａの下部を通り、器体前壁２ａの後部に沿って集塵室１１の吸込孔１２に直通する吸込通路１４を経て、該吸込孔１２に装着された集塵袋１３に吸引、集塵されるごとくなるのみならず、砥石収容室４の下方開口部４ｂから前記の発生粉塵の吸引通路に向かって、砥石３の回転により発生する風が流入し、前記のブロワ９の回転による吸引作用を助長し、その集塵能力を強大にし、併せて砥石自身の目詰まりも予防する。
また集塵された粉塵の後処理は、上部の開閉蓋１６を開き、粉塵を収納した集塵袋１３を脱離、廃棄し、新しい集塵袋１３に交換、取着する。また、吸引通路の途中で、作業台５内の集塵用空間６に落下、沈積した塵材は、該作業台５を引き出して排出する。
【００１１】
【発明の効果】
本発明の歯科用石膏乾式研削器は上記のごとき構成及び作用を有するので、以下の種々の効果を発揮できる。
（１）本研削器による研削作業時に発生する粉塵及び塵材は、常に粉塵吸込用隙間からブロワ吸引により器内に吸引、集塵されるので、作業環境が粉塵等で汚れることがなく、公害を防止する。
（２）また吸引された粉塵は器外に簡易に廃棄でき、粉塵と共に吸引、落下する破片等の塵材は作業台内の集塵用空間に収納され、該作業台を引き出して排出できるから、集塵後の後処理が極めて簡易である。
（３）本研削器によれば、従来のような粉塵対策のための注排水装置が不要となり、そのため付随発生していた加水膨張の課題も発生する恐れが全くなく、研削作業そのものも煩雑でなくなる。
（４）また本器の外形は、回転砥石のための研削窓を設けた砥石収容室の前方に作業テーブルを突設したコンパクトな形状であり、かつ注排水装置等を取り付ける必要がないから、作業テーブルに被研削物品を載置して研削作業をするとき邪魔するものがなく、極めて作業性が良い。
【図面の簡単な説明】
【図１】本発明の歯科用石膏乾式研削器の全体斜視図である。
【図２】本研削器の正面図であって、その一部を図３のＢ〜Ｂ線に沿った断面図で図示する。
【図３】本研削器の左側面図であって、その一部を図２のＡ〜Ａ線に沿った断面図で図示する。
【図４】作業台の集塵用空間にフィルター部材を挿着したときの本研削器の左側面図である。
【符号の説明】
１  本発明の歯科用石膏乾式研削器
２  器体                            ２ａ  器体前壁
２ｂ  器体中壁                      ２ｃ  器体奥壁
２ｄ  仕切壁
３  円板状砥石                      ３ａ  砥石用モータ
３ｂ  駆動軸                        ３ｃ  締付ナット
４  砥石収容室                      ４ａ  研削窓
４ｂ  下方開口部                    ４ｃ  取付ボルト
４ｄ  前壁
５  作業台                          ５ａ  可傾式作業テーブル
５ｂ  作業台面                      ５ｃ  ヒンジ
５ｄ  調整用締付具                  ５ｅ  固定ボルト
６  集塵用空間                      ６ａ  Ｒ状ガイド
７  フィルター部材                  ７ａ  遮断部材
８  ブロワ吸引による集塵装置
９  ブロワ                          ９ａ  ブロワ収容室
９ｂ  吸気孔                        ９ｃ  排気孔
１０  粉塵吸込用隙間                １１  集塵室
１２  吸込孔                        １３  集塵袋
１４  吸込通路                      １５  フィルター部材
１６  開閉蓋                        １７  クランパー
Ｃ  ブロワ中心                      Ｄ  砥石モータ中心
【図１】
0003874037.tif 000002
【図２】
0003874037.tif 000003
【図３】
0003874037.tif 000004
【図４】
0003874037.tif 000005